(57)【要約】【課題】高速応答性を有するＯＣＢ型液晶を用いた半透過型の液晶表示装置の製造方法を提供する。【解決手段】この発明のＯＣＢ型液晶を用いた半透過型の液晶表示装置は、配向膜形成工程２１にて、ポリイミド系の配向膜をアレイ基板ＡＲおよび対向基板ＣＦに印刷する。このあと、アレイ基板ＡＲの膜面ではなくガラス基板ＧＬ側から紫外線照射を行う。一方、対向基板ＣＦは対向電極ＣＥ側から紫外線を照射する。このように、配向膜形成工程２１の後にアレイ基板ＡＲのガラス面ＧＬより紫外線照射を行うＵＶ裏面照射工程２２を具備することで、製造プロセスを複雑化させることなく画素内にハイブリッド配向とベンド配向を形成する。【選択図】図１
2007121831.tif 000002
【特許請求の範囲】
【請求項１】
マトリクス状に配置された複数の画素を有したアレイ基板と対向基板によって液晶層を狭持した液晶表示装置の製造方法であって、前記液晶層の液晶分子を配向させるための配向膜をアレイ基板と対向基板上に形成する配向膜形成工程と、この配向膜形成工程の後に前記アレイ基板のガラス面より紫外線照射を行う工程を有することを特徴とする液晶表示装置の製造方法。
【請求項２】
前記アレイ基板の画素内には反射電極部分と透過電極部分とを具備することを特徴とする請求項１記載の液晶表示装置の製造方法。
【請求項３】
前記液晶層の液晶分子が、透明電極部分ではベンド配向であり、反射電極部分ではハイブリッド配向であることを特徴とする請求項２記載の液晶表示装置の製造方法。
【発明の詳細な説明】
【技術分野】
【０００１】
この発明は、液晶テレビ、車載ナビゲーションシステム用モニタ、ＯＡ用液晶モニタ、モバイル用モニタ等に用いられる液晶表示装置に関する。
【背景技術】
【０００２】
液晶表示装置は、ノート型あるいはデスクトップ型パソコンのディスプレイに始まり、ＴＶ用途の大型のものから携帯電話や各種携帯端末用途ような小型のものまで多種多様な電器製品のディスプレイとして使用されている。なかでも携帯電話や各種携帯端末は、屋外でも屋内でも使用されることから近年では半透過型の液晶ディスプレイが主流となってきている。動画表示性能の優れた液晶表示モードとしてはＯＣＢ型液晶が提案され、大型液晶ＴＶへの適用が検討されている（例えば、非特許文献１）。
【０００３】
また、最近では携帯電話でもテレビ放送の受信が可能となり、ＴＶ電話サービスが開始されるなど携帯端末においても動画表示を行う機会が増え、ＯＣＢ型液晶を用いた半透過型の液晶表示装置にも、さらなる高速応答性が求められてきている。
【非特許文献１】社団法人電気通信学会  信学技報  ＥＤＩ９８−１４４  １９９頁
【発明の開示】
【発明が解決しようとする課題】
【０００４】
この発明の目的は、高速応答性を有するＯＣＢ型液晶を用いた半透過型の液晶表示装置の製造方法を提供することである。
【課題を解決するための手段】
【０００５】
本発明によれば、マトリクス状に配置された複数の画素を有したアレイ基板と対向基板によって液晶層を狭持した液晶表示装置の製造方法であって、前記液晶層の液晶分子を配向させるための配向膜をアレイ基板と対向基板上に形成する配向膜形成工程と、この配向膜形成工程の後に前記アレイ基板のガラス面より紫外線照射を行う工程を有することを特徴とする液晶表示装置の製造方法が提供される。
【発明の効果】
【０００６】
本発明の液晶表示装置の製造方法は、製造プロセスを複雑化させ歩留りを低下させることなく視野角特性および動画応答性の優れたＯＣＢ型液晶を用いた半透過型の液晶表示装置を実現することを可能とする。
【発明を実施するための最良の形態】
【０００７】
以下、図面を参照して、この発明の実施の形態について詳細に説明する。
【０００８】
図１は、この発明に係る液晶表示装置の製造工程の概略を示すものである。すなわち、この液晶表示装置の製造工程は、アレイ工程１、セル工程２、実装・モジュール組立工程３において、セル工程２に配向膜成形工程２１とＵＶ裏面照射工程２２を有するものである。
【０００９】
図２は、図１に示す製造方法により作成されたＯＣＢ型液晶を用いた半透過型の液晶表示装置を示すものである。すなわち、この発明に係るＯＣＢ型液晶を用いた半透過型の液晶表示装置は、アレイ基板ＡＲ、対向基板ＣＦ、および液晶層ＬＣを含む。アレイ基板ＡＲはガラス基板ＧＬ、このガラス基板ＧＬ上に形成される反射電極ＲＥと透明電極ＴＥを含む。対向基板ＣＦは対向電極ＣＥを含む。液晶層ＬＣは対向基板ＣＦとアレイ基板ＡＲの間隙に液晶を充填することにより得られる。
【００１０】
また、この半透過型の液晶表示装置は、アレイ基板ＡＲおよび対向基板ＣＦの外側に配置される一対の位相差板ＲＴ、およびこれら位相差板ＲＴの外側に配置される一対の偏光板ＰＬを備える。さらに、この半透過型の液晶表示装置は、アレイ基板ＡＲ上に反射電極ＲＥが形成された側が反射部で液晶層ＬＣにセルギャップｄＲが形成され、反射電極ＲＥが形成されない側が透過部で液晶層ＬＣにセルギャップｄＴが形成されている。
【００１１】
ここで、この発明の液晶表示装置の製造工程を説明するため、従来の表示装置について説明する。
【００１２】
図３は、従来の製造方法により作製されたＯＣＢ型液晶を用いた半透過型の液晶表示装置を示すものである。従来の半透過型の液晶表示装置は、アレイ基板ＡＲ上に反射電極ＲＥが形成された側が反射部で、反射電極ＲＥが形成されない側が透過部である。
【００１３】
応答性の優れたＯＣＢ型液晶を用いた液晶表示装置を携帯電話や携帯端末用途として半透過型の液晶ディスプレイに適用する場合、透過部と反射部での液晶分子の配向は図３に示すようになる。従来の半透過型の液晶表示装置では、透過部と反射部での光学特性が異なると画素内に特性の異なる領域が存在することになり、表示むらとして認識されることになる。
【００１４】
従って、図３に示すような構造では透過部と反射部とで特性が異なることなり、半透過型の液晶表示装置にＯＣＢ型液晶を適用するには図２に示すようなＯＣＢ型の半透過型の液晶表示装置の構造が望ましい。
【００１５】
しかしながら、図２に示すような構造では、液晶分子は透過電極部では水平配向、反射電極部では垂直配向させるために配向膜の塗り分けが必要となることから、製造プロセスが複雑化し歩留りが大きく低下するなどの重大な課題がある。
【００１６】
そこで、この発明は、図２に示すＯＣＢ型液晶を用いた半透過型の液晶表示装置を図１に示す製造方法により作製する。
【００１７】
次に、このような構成において、図１と図２を参照してこの発明の液晶表示装置の製造方法を説明する。
【００１８】
まず、アレイ基板ＡＲには、画素内に透明電極ＴＥを反射電極ＲＥに重なるように配置して、反射部と透過部を形成している。また、反射部のセルギャップｄＲを透過部のセルギャップｄＴの約２分の１となるように、例えばアクリル系の感光性樹脂を用いて反射部と透過部に２．５μｍの段差を形成し、ｄＲを２．５μｍ、ｄＴを５μｍとなるように構成する。
【００１９】
このようにしてアレイ工程にて作製したアレイ基板ＡＲと対向基板ＣＦを、セル工程２では、まず投入洗浄を行い、配向膜形成工程２１にて、例えばポリイミド系の配向膜をアレイ基板ＡＲおよび対向基板ＣＦに印刷する。このあと、アレイ基板ＡＲの膜面ではなくガラス基板ＧＬ側から紫外線照射を行う。
【００２０】
それによって、反射部では反射電極ＲＥにより配向膜には紫外線が照射されないが透過部では配向膜に紫外線が照射されることから、紫外線照射エネルギによってプレチルト角が変化することを利用して、アレイ基板ＡＲの反射部と透過部でプレチルト角を変えることができる。
【００２１】
一方、対向基板ＣＦは対向電極ＣＥ側から紫外線を照射することで、反射部と透過部では等しいプレチルト角となり、図２に示すように液晶層ＬＣは反射部ではハイブリッド配向、透過部ではベンド配向を形成することができる。なお、電圧無印加時はベンド配向よりもスプレイ配向のほうが安定であるので、電源オフ時には透過部の液晶層ＬＣの配向はスプレイ配向となっている。
【００２２】
このように、配向膜形成工程２１の後にアレイ基板ＡＲのガラス基板ＧＬより紫外線照射を行うＵＶ裏面照射工程２２を具備することで、製造プロセスを複雑化させることなく画素内にハイブリッド配向とベンド配向を形成することができる。
【００２３】
この後、アレイ基板ＡＲと対向基板ＣＦを貼り合わせて液晶を注入する。こうしてできた液晶パネルに位相差板ＲＴとしては、例えばハイブリッド配向したディスコティック液晶を有する位相差板をアレイ基板ＡＲ側と対向基板ＣＦ側に貼り合わす。
【００２４】
このような構成とすることで、反射部と透過部は等価であり同等の光学特性が得られる。このように、本発明の液晶表示装置の製造方法を用いれば、製造プロセスを複雑化させ歩留りを低下させることなく、視野角特性および動画応答性の優れたＯＣＢ型液晶を用いた半透過型の液晶表示装置を実現することができる。
【００２５】
以上説明したように上記発明の実施の形態によれば、高速応答性を有するＯＣＢ型液晶を用いた半透過型の液晶表示装置の製造方法を提供することができる。
【図面の簡単な説明】
【００２６】
【図１】本発明の一実施形態に係る液晶表示装置の製造工程の概略を示す図
【図２】図１に示す製造方法により作製されたＯＣＢ型液晶を用いた半透過型液晶表示装置を示す図。
【図３】従来の製造方法により作製されたＯＣＢ型液晶を用いた半透過型液晶表示装置を示す図。
【符号の説明】
【００２７】
１…アレイ工程、２…セル工程、３…実装・モジュール組立工程、２１…膜成形工程配向、２２…ＵＶ裏面照射工程、ＡＲ…アレイ基板、ＣＥ…対向電極、ＣＦ…対向基板、ｄＲ，ｄＴ…セルギャップ、ＧＬ…ガラス基板、ＬＣ…液晶層、ＰＬ…偏光板、ＲＥ…反射電極、ＲＴ…位相差板、ＴＥ…透明電極。
【図１】
2007121831.tif 000003
【図２】
2007121831.tif 000004
【図３】
2007121831.tif 000005